(57)【要約】【課題】ボトルに簡単に装着することができるとともに、装着したボトルを吊り下げて持ち運ぶことができ、また、ボトルを保管したい場合には簡単に取り外すことができ、ボトルと別々に保管することができるボトルホルダーを提案する。【解決手段】縦断する薄肉ヒンジ９を介して開閉可能に延設した一対の半環状壁１０を、ボトル口頸部７に設けた段部８に上端縁を係合させて、ボトルの肩部６外周に嵌合させた本体３と、本体の各半環状壁端縁より外方へそれぞれ突設した紐締着用の突片１１一端部を締着して各突片相互を密接固定した吊り下げ紐４とから構成した。【選択図】図１
2004034992.tif 000002
【特許請求の範囲】
【請求項１】
胴部５より肩部６を介して口頸部７を起立するとともに、口頸部７外周下部に段部８を周設したボトル２に装着するホルダーであって、縦断する薄肉ヒンジ９を介して開閉可能に延設した一対の半環状壁１０を、上端縁を上記段部８に係合させて上記肩部６外周に嵌合するとともに、各半環状壁端縁より外方へそれぞれ紐締着用の突片１１を突設した本体３と、各突片１１に一端部を締着して各突片相互を密接固定した吊り下げ紐４とを備えてなることを特徴とするボトルホルダー。
【請求項２】
上記各突片１１への吊り下げ紐４の締着が、各突片１１にそれぞれ連通させて穿設した挿通孔１２に一端部を挿通するとともに、他方の端部を突出した一端部の環状部内に挿通して引き締めることにより各突片相互を密接固定した環状の吊り下げ紐４による締着である請求項１記載のボトルホルダー。
【請求項３】
胴部５より肩部６を介して口頸部７を起立するとともに、口頸部７外周下部に段部８を周設したボトル２に装着するホルダーであって、縦断する弾性ヒンジ９ａを介して開環状態で延設した一対の半環状壁１０ａ　の各側縁より外方へそれぞれ紐締着用の突片１１ａ　を突設するとともに、上記口頸部７上方より挿通した後各突片相互を係合手段Ａにより係合した閉環状態で、上端縁を上記段部８に係合させて肩部６外周に嵌合させた本体３と、各突片１１ａ　に一端部を締着した吊り下げ紐４とを備えてなることを特徴とするボトルホルダー。
【請求項４】
上記各突片１１ａ　が、閉環状態で上部が互いに当接するとともに、下部相互間に指掛け用の隙間１７を設けてなる突片であり、上記係合手段Ａが、上記各突片１１ａ　の縁部よりそれぞれ他方の突片に乗越え係合するフック形態の係合突子１８を突設してなる係合手段である請求項２記載のボトルホルダー。
【請求項５】
上記各突片１１ａ　への吊り下げ紐４の締着が、各突片１１ａ　にそれぞれ連通させて穿設した挿通孔１２ａ　に一端部を挿通するとともに、他方の端部を突出した一端部の環状部内に挿通して引き締めることにより各突片相互を密接固定した環状の吊り下げ紐４による締着である請求項３又は請求項４のいずれかに記載のボトルホルダー。
【発明の詳細な説明】
【０００１】
【発明の属する技術分野】
本発明はボトルホルダーに関する。
【０００２】
【従来の技術】
ペットボトルなどに代表される合成樹脂製ボトルやアルミボトル等の金属製ボトルは、当初持ち運びをあまり考慮していなかったが、そのサイズ，用途等の多様化により最近ではキャップに指を掛けるためのフランジを突設したり、ボトルの口頸部や胴部に吊り下げ紐を固定して吊り下げ可能に構成したものも使用されている。
【０００３】
キャップにフランジを突設したものでは、突出幅が小さいと持ち難く、逆に大き過ぎると収納時等に不便である。また、吊り下げ紐を装着したものは例えば、冷蔵庫や鞄の中に収納した際に邪魔となる。
【０００４】
【発明が解決しようとする課題】
本発明は上記した点に鑑みてなされたもので、ボトルに簡単に装着することができるとともに、装着したボトルを吊り下げて持ち運ぶことができ、また、ボトルを保管したい場合には簡単に取り外して別々に保管することができるボトルホルダーを提案する。
【０００５】
【課題を解決するための手段】
本請求項１発明のボトルホルダーは上記課題を解決するため、胴部５より肩部６を介して口頸部７を起立するとともに、口頸部７外周下部に段部８を周設したボトル２に装着するホルダーであって、縦断する薄肉ヒンジ９を介して開閉可能に延設した一対の半環状壁１０を、上端縁を上記段部８に係合させて上記肩部６外周に嵌合するとともに、各半環状壁端縁より外方へそれぞれ紐締着用の突片１１を突設した本体３と、各突片１１に一端部を締着して各突片相互を密接固定した吊り下げ紐４とを備えてなることを特徴とするボトルホルダーとして構成した。
【０００６】
また、請求項２発明のボトルホルダーは、上記各突片１１への吊り下げ紐４の締着が、各突片１１にそれぞれ連通させて穿設した挿通孔１２に一端部を挿通するとともに、他方の端部を突出した一端部の環状部内に挿通して引き締めることにより各突片相互を密接固定した環状の吊り下げ紐４による締着である請求項１記載のボトルホルダーとして構成した。
【０００７】
また、請求項３発明のボトルホルダーは、胴部５より肩部６を介して口頸部７を起立するとともに、口頸部７外周下部に段部８を周設したボトル２に装着するホルダーであって、縦断する弾性ヒンジ９ａを介して開環状態で延設した一対の半環状壁１０ａ　の各側縁より外方へそれぞれ紐締着用の突片１１ａ　を突設するとともに、上記口頸部７上方より挿通した後各突片相互を係合手段Ａにより係合した閉環状態で、上端縁を上記段部８に係合させて肩部６外周に嵌合させた本体３と、各突片１１ａ　に一端部を締着した吊り下げ紐４とを備えてなることを特徴とするボトルホルダーとして構成した。
【０００８】
また、請求項４発明のボトルホルダーは、上記各突片１１ａ　が、閉環状態で上部が互いに当接するとともに、下部相互間に指掛け用の隙間１７を設けてなる突片であり、上記係合手段Ａが、上記各突片１１ａ　の縁部よりそれぞれ他方の突片に乗越え係合するフック形態の係合突子１８を突設してなる係合手段である請求項２記載のボトルホルダーとして構成した。
【０００９】
また、請求項５発明のボトルホルダーは、上記各突片１１ａ　への吊り下げ紐４の締着が、各突片１１ａ　にそれぞれ連通させて穿設した挿通孔１２ａ　に一端部を挿通するとともに、他方の端部を突出した一端部の環状部内に挿通して引き締めることにより各突片相互を密接固定した環状の吊り下げ紐４による締着である請求項３又は請求項４のいずれかに記載のボトルホルダーとして構成した。
【００１０】
【発明の実施の形態】
以下、本発明の実施の形態を図面を参照して説明する。
【００１１】
本発明のボトルホルダー１は、ボトル２に装着して使用するもので、本体３と、吊り下げ紐４とを備えている。
【００１２】
装着するボトル２はポリエチレンテレフタレートボトルに代表される様な合成樹脂ボトルやアルミ製の金属製ボトルが使用され、胴部より肩部を介して口頸部を起立して構成したものが使用できる。図示例では、筒状の胴部５よりテーパ状に縮径する肩部６を介して口頸部７を起立し、口頸部７の外周下部に係止突条を突設してその下面を下向きの段部８としている。
【００１３】
本体３は、縦断する薄肉ヒンジ９を介して開閉可能に延設した一対の半環状壁１０を、上端縁を上記下向きの段部８に係合させて上記肩部６外周に嵌合するとともに、各半環状壁１０端縁より外方へそれぞれ紐締着用の突片１１を突設している。この本体３は、例えば図３に示す如く、　１８０°開いた状態で合成樹脂により一体に形成することができる。
【００１４】
図示例に於ける半環状壁１０は、肩部６外周の傾斜に内面の傾斜をあわせた末広がりの半円筒状をなすとともに、上端縁に短い半円筒部を立設している。また、各突片１１は、端縁上端より外方へ放射状に且つ略三角板状に突設しており、各突片１１の相互の対向面は閉環状態で当接する如く構成している。また、各突片１１には吊り下げ紐４を挿通するための挿通孔１２を穿設して各々連通させている。更に、一方の突片１１より突設した係合突起１３を、他方の突片１１に突設した係合孔１４に嵌合して突片１１相互の適正位置での当接が行える如く、ひいては、各挿通孔１２相互が適正に重なる如く構成している。
【００１５】
吊り下げ紐４は上記突片１１に端部を締着して吊り下げ可能に設けたもので、その材質は合成樹脂，革，布等特に限定はないが、ボトルの吊り下げに充分耐え得る強度のものであれば使用できる。また、吊り下げ紐４の具体的形態は吊り下げが可能であれば、どの様な形態であっても良いが、突片１１への締着のし易さ或いは取り外し易さを考慮すると、環状に形成されたものが好ましく使用できる。
【００１６】
また、突片１１に吊り下げ紐４を締着させる方法としては、種々の方法を採用できるが、図２に示す如く、吊り下げ紐４の一端部を各突片１１に連通させて穿設した挿通孔１２に挿通し、他方の端部を突出した一端部の環状部内に挿通して引き締めることにより、各突片相互を密接固定して簡単に締着することができる。
【００１７】
上記の如く構成したホルダー１は、例えば、図３の状態から閉環しつつその上端縁を下向きの段部８に係合した状態でボトル２の肩部６外周に嵌合させる。次いで吊り下げ紐４を上記した如く締着させてボトル２に装着する。運搬時には吊り下げ紐４をクビに吊り下げたり、手首に掛けて吊り下げたりして行える。また、取り外したい場合には、例えば、吊り下げ紐４の締着部分を緩めある程度開環させた後上方に引き上げれば取り外すことができる。尚、図中１５は口頸部７に螺着させたキャップを示す。
【００１８】
図４乃至図７は本発明の他の実施例を示すもので、本実施例では、上記実施例と同様のボトル２に装着するホルダー１であり、同様に本体３と、吊り下げ紐４とを備えている。
【００１９】
本体３は、縦断する弾性ヒンジ９ａを介して開環状態で延設した一対の半環状壁１０ａ　の各側縁より外方へそれぞれ紐締着用の突片１１ａ　を突設している。弾性ヒンジ９ａは、各半環状壁１０ａ　を閉じる方向に力を加えた場合にその部分で屈折して両半環状壁１０ａ　により環状壁を形成し、力を解除すれば元の状態に戻る如く構成したもので、図示例では横断面コ字状の膨出部形態に構成しているが、これに限られず、上記した所定の要件を満たせばその形態は種々選択でき、例えば、所定の肉厚部分を縦設することにより構成しても良い。また、開環状態はその状態でボトル２の上方より所定の嵌合位置へ装着できる程度の開環状態であれば良い。
【００２０】
また、紐締着用の突片１１ａ　には上記実施例と同様に挿通孔１２ａ　を穿設しており、また、各突片１１ａ　相互を係止固定して閉環状態を維持する係合手段Ａを設けている。図示例では、各突片１１ａ　が、閉環状態で上部が互いに当接し且つ下部相互間に指掛け用の隙間１７が生じる如く構成している。また、係合手段Ａは、各突片１１ａ　の上縁部よりそれぞれ他方の突片に乗越え係合するフック形態の係合突子１８を突設して構成している。
【００２１】
本実施例の場合は、図７（ａ）　に示す如き本体３の開環状態でボトル２上方より肩部６外周に嵌合させ、次いで閉環方向へ力を加えて各係合突子１８を突片１１ａ　の上縁に係合させて、図７（ｂ）　に示す如き閉環状態を維持させる。次いで、上記実施例と同様に吊り下げ紐４を締着する。また、取り外しの際には、例えば吊り下げ紐４の締着部分を緩めた後、隙間１７部分の両側に指を掛けて各係合突子１８の係合を外して開環させ、そのまま上方に引き上げれば容易に取り外すことができる。
【００２２】
【発明の効果】
以上説明した如く本発明のホルダーは、既述構成としたことにより、ボトル２に簡単に装着することができ、外出等の持ち運び時には装着したボトル２を、吊り下げ紐４を首に下げる等して使用できるものであり、キャップを外した状態で吊り下げておくこともできる。また、必要に応じて取り外すことができ、ボトルと別に保管することができるため、冷蔵庫等へのボトルの保管時に邪魔にならない等使用上極めて便利である。
【００２３】
また、請求項２発明のホルダーでは、吊り下げ紐４の締着或いは取り外しがより簡単であり、取り外しの際には締着部分を緩めた状態で本体を開環することができ、本体に吊り下げ紐４を取り付けたままの状態でボトルから取り外すことができる。
【００２４】
また、請求項３発明のホルダーは、上記請求項１発明と同様の効果に加え、係合手段Ａを備えているため、吊り下げ紐４による締着固定に加えてより確実に閉環状態の維持を行えるものである。
【００２５】
また、請求項４発明のホルダーは、指掛け用の隙間１７に指を掛けて係合手段を解除できるため、取り外しがより容易となる。
【００２６】
また、請求項５発明のホルダーは、請求項２発明のホルダー同様に吊り下げ紐４の締着或いは取り外しがより簡単であり、取り外しの際には締着部分を緩めた状態で本体を開環することができ、本体に吊り下げ紐４を取り付けたままの状態でボトルから取り外すことができる。
【図面の簡単な説明】
【図１】本発明の一実施例を示し、ボトルに装着した状態の側面図である。
【図２】同実施例の吊り下げ紐の締着を説明する斜視図である。
【図３】同実施例の本体を示す斜視図である。
【図４】本発明の他の実施例を示す側面図である。
【図５】同実施例の吊り下げ紐の締着を説明する斜視図である。
【図６】同実施例の本体を示す斜視図である。
【図７】同実施例の作用を説明する説明図である。
【符号の説明】
２…ボトル，３…本体，４…吊り下げ紐，５…胴部，６…肩部，
７…口頸部，８…段部，９…薄肉ヒンジ，９ａ…弾性ヒンジ，
１０，１０ａ　…半環状壁，１１，１１ａ　…突片，１２，１２ａ　…挿通孔，１７…隙間，
１８…係合突子，Ａ…係合手段
【図１】
2004034992.tif 000003
【図２】
2004034992.tif 000004
【図３】
2004034992.tif 000005
【図４】
2004034992.tif 000006
【図５】
2004034992.tif 000007
【図６】
2004034992.tif 000008
【図７】
2004034992.tif 000009